【手続補正書】
【提出日】平成26年4月7日(2014.4.7)
【手続補正１】
【補正対象書類名】明細書
【補正対象項目名】発明の名称
【補正方法】変更
【補正の内容】
【発明の名称】画像形成装置、及び画像形成方法
【手続補正２】
【補正対象書類名】明細書
【補正対象項目名】００１３
【補正方法】変更
【補正の内容】
【００１３】
本発明の画像形成装置は、画像面の被加熱領域を任意の形状に設定可能な設定部と、前記被加熱領域における画像のトナー載り量が所定量に満たない領域に対応する透明トナー像を形成して、前記トナー載り量が所定量に満たない領域に転写する透明画像形成部と、前記透明画像形成部によって転写された透明トナー像を記録材に定着させる定着装置と、前記定着装置によって透明トナー像の画像が定着された記録材の画像面にフィルム材料を供給するフィルム材料供給手段と、フィルム材料と記録材とを重ね合せて一体に搬送する搬送手段と、搬送される記録材の前記被加熱領域をフィルム材料を介して選択的に加熱する加熱手段と、を有する画像加熱装置と、を備えるものである。
【手続補正３】
【補正対象書類名】明細書
【補正対象項目名】００１４
【補正方法】変更
【補正の内容】
【００１４】
本発明の画像形成装置では、被加熱領域のうちで有色トナー像では必要なトナー載り量が満たされない領域に、透明トナー像を形成するので、被加熱領域におけるトナー載り量の不足に起因する表面性状のばらつきが緩和される。
【手続補正４】
【補正対象書類名】明細書
【補正対象項目名】００６９
【補正方法】変更
【補正の内容】
【００６９】
図６の（ａ）に示すように、画像加熱装置の一例である光沢処理装置３００は、有色トナー像と透明トナー像が形成された記録材上において任意の形状に設定される被加熱領域を選択的に加熱処理して定着装置Ｆ１のものとは異なる表面性状を形成する。
【手続補正５】
【補正対象書類名】明細書
【補正対象項目名】００７０
【補正方法】変更
【補正の内容】
【００７０】
フィルム材料供給手段の一例である定着フィルムカセット３０９は、目的とする表面性状が形成されたフィルム材料の一例である定着フィルム３０５を供給する。搬送手段の一例であるグリップローラ３０６及びピンチローラ３０７は、有色トナー像及び透明トナー像が定着された記録材Ｐの画像面に定着フィルム３０５を重ねて一体に搬送する。加熱手段の一例であるサーマルヘッド３０２は、定着フィルム３０５と記録材Ｐとを一体に加圧した位置で定着フィルム３０５を介して被加熱領域を加熱する。
【手続補正６】
【補正対象書類名】明細書
【補正対象項目名】００８５
【補正方法】変更
【補正の内容】
【００８５】
図１に示すように、有色画像形成部の一例である画像形成部Ｐａ、Ｐｂ、Ｐｃ、Ｐｄ及び定着装置Ｆ１は、記録材上に有色トナー像を形成して定着させる。透明画像形成部の一例である画像形成部Ｐｅは、記録材上に透明トナー像を形成する。定着装置Ｆ１は記録材上に透明トナー像の画像を定着させる。画像形成部Ｐａ、Ｐｂ、Ｐｃ、Ｐｄと画像形成部Ｐｅは、有色トナー像と透明トナー像とを記録材Ｐに転写した後に、定着装置Ｆ１により同時に記録材に定着させる。
【手続補正７】
【補正対象書類名】明細書
【補正対象項目名】００８８
【補正方法】変更
【補正の内容】
【００８８】
図３を参照して図８に示すように、制御部の一例であるコントローラＫは、プログラムの第１ステップにおいて、記録材上の有色トナー像の画像形成領域の情報を含む画像情報と、記録材上の被加熱領域を特定する加熱領域情報とを取得する。コントローラＫは、プログラムの第２ステップにおいて、被加熱領域に位置して有色トナー像の画像形成領域に位置しない領域に透明トナー像の画像形成領域を設定する。第２ステップでは、被加熱領域に位置して有色トナー像の画像形成領域のトナー載り量が所定量に満たない領域にも透明トナー像の画像形成領域を設定する。コントローラＫは、プログラムの第３ステップにおいて、第２ステップにて設定された透明トナー像の画像形成領域における有色トナー像と透明トナー像の合計のトナー載り量が前記所定量になるように透明トナー像の画像形成量を設定する。
【手続補正８】
【補正対象書類名】特許請求の範囲
【補正対象項目名】全文
【補正方法】変更
【補正の内容】
【特許請求の範囲】
【請求項１】
画像面の被加熱領域を任意の形状に設定可能な設定部と、
前記被加熱領域における画像のトナー載り量が所定量に満たない領域に対応する透明トナー像を形成して、前記トナー載り量が所定量に満たない領域に転写する透明画像形成部と、
前記透明画像形成部によって転写された透明トナー像を記録材に定着させる定着装置と、
前記定着装置によって透明トナー像の画像が定着された記録材の画像面にフィルム材料を供給するフィルム材料供給手段と、フィルム材料と記録材とを重ね合せて一体に搬送する搬送手段と、搬送される記録材の前記被加熱領域をフィルム材料を介して選択的に加熱する加熱手段と、を有する画像加熱装置と、を備えることを特徴とする画像形成装置。
【請求項２】
有色トナー像を形成して、前記透明画像形成部によって透明トナー像が転写される前の記録材の画像面に転写する有色画像形成部を備え、
前記定着装置は、前記透明画像形成部によって転写された透明トナー像の画像とともに前記有色画像形成部によって転写された有色トナー像の画像を記録材に定着させることを特徴とする請求項１に記載の画像形成装置。
【請求項３】
有色トナー像を形成して、記録材の画像面に転写する有色画像形成部と、
前記有色画像形成部によって転写された有色トナー像の画像を記録材に定着させる別の定着装置と、を備え、
前記透明画像形成部は、前記別の定着装置によって有色トナー像の画像が定着された記録材に透明トナー像を転写することを特徴とする請求項１に記載の画像形成装置。
【請求項４】
記録材の画像面の画像を読み取って前記被加熱領域における画像のトナー載り量が所定量に満たない領域を検出可能な検出部を備え、
前記透明画像形成部は、前記検出部によって検出された前記トナー載り量が所定量に満たない領域に透明トナー像を転写することを特徴とする請求項１に記載の画像形成装置。
【請求項５】
前記透明画像形成部は、前記有色画像形成部で有色トナー像を形成するための画像データと、前記設定部で設定された被加熱領域に基づく被加熱領域データとに基づいて、前記被加熱領域における有色トナー像と透明トナー像の合計のトナー載り量が均一になるように前記透明トナー像を形成することを特徴とする請求項２乃至４のいずれか１項に記載の画像形成装置。
【請求項６】
前記画像加熱装置を収納する筐体は、前記透明画像形成部及び前記定着装置を収容する筐体から独立していることを特徴とする請求項１乃至５のいずれか１項に記載の画像形成装置。
【請求項７】
記録材の画像面に被加熱領域を任意の形状に設定可能な設定部と、
有色トナー像を形成して記録材の画像面に転写する有色画像形成部と、
透明トナー像を形成して記録材の画像面に転写する透明画像形成部と、
前記有色画像形成部で有色トナー像を形成するための画像データと、前記設定部で設定された被加熱領域に基づく被加熱領域データとを用いて、前記被加熱領域における画像のトナー載り量が所定量に満たない領域に対応する透明トナー像を形成するように前記透明画像形成部を制御する制御部と、を備えることを特徴とする画像形成装置。
【請求項８】
記録材の画像面に被加熱領域を任意の形状に設定可能な設定部と、透明トナー像を形成する透明画像形成部と、有色トナー像を形成する有色画像形成部と、記録材の画像面における前記任意の形状の領域をフィルム材料を介して選択的に加熱可能な画像加熱装置と、制御部と、を用いる画像形成方法であって、
前記制御部が前記設定部を通じた入力データに基づいて記録材の画像面に任意の形状に設定される被加熱領域の被加熱領域データを生成する工程と、
前記制御部が有色トナー像の画像データに基づいて前記有色画像形成部を制御して有色トナー像を形成する工程と、
前記制御部が前記画像データと前記被加熱領域データとに基づいて前記透明画像形成部を制御して、前記被加熱領域における所定のトナー載り量に満たない領域に対応させた透明トナー像を形成する工程と、
前記制御部が前記被加熱領域データに基づいて前記画像加熱装置を制御して前記被加熱領域を加熱させる工程と、を有することを特徴とする画像形成方法。